(57)【特許請求の範囲】
【請求項１】
ケーブルをそのケーブル軸と直交する方向から押し込み直線状に保持させる第１の溝であって、その直交方向への抜け止め防止機構及びケーブル軸の方向へのずれ防止機能を備える第１の溝が一方の側面に形成され；  ケーブルの折り返し頂部の部分を直交する方向から押し込み保持させる第２の溝が他方の側面に形成される；  ことを特徴とするケーブル束線具。
【請求項２】
ケーブルをそのケーブル軸と直交する方向から押し込み直線状に保持させる第１の溝であって、その直交方向への抜け止め防止機構及びケーブル軸の方向へのずれ防止機能を備える第１の溝と；  ケーブルの折り返し頂部の部分を直交する方向から押し込み保持させる第２の溝と；  が同一面上に並設されることを特徴とするケーブル束線具。
【請求項３】
第２の溝は、第１の溝と平行にほぼＵ字状に形成される；  ことを特徴とする請求項１または請求項２に記載のケーブル束線具。
【請求項４】
第２の溝は、第１の溝と平行にほぼＵ字状にその頂部付近を欠落して形成される；  ことを特徴とする請求項１または請求項２に記載のケーブル束線具。
【請求項５】
一方の側面にはケーブルをそのケーブル軸と直交する方向から押し込み直線状に保持させる第１の溝であって、その直交方向への抜け止め防止機構及びケーブル軸の方向へのずれ防止機能を備える第１の溝が形成され；  他方の側面には、長手方向が第１の溝の長手方向と直交する向きに設けられ、ケーブルを前記他方の側面に対し垂直の方向から押し込み直線状に保持させる第２の溝が形成される；  ことを特徴とするケーブル束線具。
【請求項６】
第２の溝は、ケーブルを幾重にも積層できる深さのものである；  ことを特徴とする請求項１、請求項２、請求項５の何れかに記載のケーブル束線具。
【請求項７】
壁、机、機器等への止め具が一体的に形成される；  ことを特徴とする請求項１、請求項２、請求項５の何れかに記載のケーブル束線具。
【発明の詳細な説明】
【０００１】
【産業上の利用分野】
本発明は、電子機器や電気機器の各種ケーブルの長さ調節に用いるケーブル束線具に関する。
【０００２】
【従来の技術】
周知のように、電子機器等では、電源ケーブルや接続用ケーブルは、実際の使用における色々な配置を考慮して余裕を持った長さで付けられているので、実際の使用ではケーブルが長過ぎる場合がある。かかる場合、ケーブルの途中部分を数回巻き回して整理するが、多くの機器が使用される所では、巻き回してとぐろを巻いた各種のケーブルが床に雑然と配置されることが往々にしてある。
【０００３】
【発明が解決しようとする課題】
ケーブルの途中部分の処理方法として従来では、例えば図７に示すように、ケーブル７１を巻き回して、紐で縛ったり、外側をビニールで被覆した針金７２を捩じって止めたり、また図８に示すような専用のタイラップを用意して固定することが行われているが、とぐろの数が多い場合には束線の作業が煩わしく、特に装置の配置変えでは一層煩わしい作業となるという問題がある。また、従来の束線方法では、外観上の見栄えもそれ程美しいとは言えず、特にオフィス等では環境に適合したもっと美的印象を与え得る束線方法が望まれる。
【０００４】
本発明は、このような従来の問題に鑑みなされたもので、その目的は、ケーブルの余長部分を簡単にかつ整然と整理できるケーブル束線具を提供することにある。
【０００５】
【課題を解決するための手段】
前記目的を達成するため本発明のケーブル束線具は次の如き構成を有する。
即ち、第１発明のケーブル束線具は、ケーブルをそのケーブル軸と直交する方向から押し込み直線状に保持させる第１の溝であって、その直交方向への抜け止め防止機構及びケーブル軸の方向へのずれ防止機能を備える第１の溝が一方の側面に形成され；  ケーブルの折り返し頂部の部分を直交する方向から押し込み保持させる第２の溝が他方の側面に形成される；  ことを特徴とするものである。
【０００６】
第２発明のケーブル束線具は、ケーブルをそのケーブル軸と直交する方向から押し込み直線状に保持させる第１の溝であって、その直交方向への抜け止め防止機構及びケーブル軸の方向へのずれ防止機能を備える第１の溝と；  ケーブルの折り返し頂部の部分を直交する方向から押し込み保持させる第２の溝と；  が同一面上に並設されることを特徴とするものである。
【０００７】
第３発明のケーブル束線具は、第１発明または第２発明のケーブル束線具において、第２の溝は、第１の溝と平行にほぼＵ字状に形成される；  ことを特徴とするものである。
【０００８】
第４発明のケーブル束線具は、第１発明または第２発明のケーブル束線具において、第２の溝は、第１の溝と平行にほぼＵ字状にその頂部付近を欠落して形成される；  ことを特徴とするものである。
【０００９】
第５発明のケーブル束線具は、一方の側面にはケーブルをそのケーブル軸と直交する方向から押し込み直線状に保持させる第１の溝であって、その直交方向への抜け止め防止機構及びケーブル軸の方向へのずれ防止機能を備える第１の溝が形成され；  他方の側面には、長手方向が第１の溝の長手方向と直交する向きに設けられ、ケーブルを前記他方の側面に対し垂直の方向から押し込み直線状に保持させる第２の溝が形成される；  ことを特徴とするものである。
【００１０】
第６発明のケーブル束線具は、第１発明、第２発明または第５発明のケーブル束線具において、第２の溝は、ケーブルを幾重にも積層できる深さのものである；  ことを特徴とするものである。
【００１１】
また、第７発明のケーブル束線具は、第１発明、第２発明または第５発明のケーブル束線具において、壁、机、機器等への止め具が一体的に形成される；  ことを特徴とするものである。
【００１２】
【作用】
次に、前記の如く構成される本発明のケーブル束線具の作用を説明する。
本発明では、２つのケーブル束線具をケーブルの余長部分に適用し、ケーブルを一方の束線具の第１の溝→他方の束線具の第２の溝→一方の束線具の第２の溝→他方の束線具の第１の溝と経由させることで、簡単にかつ整然と束線できる。その結果、束線処理部分は弛みなく束線できるので、外観も優れたものとなる。また、ケーブル数が多い場合は、ケーブル毎に当該束線具の色を変えれば、選別等も楽に行える。なお、第６発明ではケーブルの余長部分が長過ぎる場合に有効であり、第７発明では束線したケーブルを機器等に沿わせることができる。
【００１３】
【実施例】
以下、本発明の実施例を図面を参照して説明する。
図１は、本発明の一実施例に係るケーブル束線具を示す。図１において、このケーブル束線具は、例えば合成樹脂からなる本体１の一方の側面に直線状の第１の溝２を、他方の側面にほぼＵ字状の第２の溝３をそれぞれ一体的に形成したものである。
【００１４】
このケーブル束線具は、図２に示すように、２個を１組として使用し、余長部分のケーブル２１を一方の束線具２２の第１の溝→他方の束線具２３の第２の溝→一方の束線具２２の第２の溝→他方の束線具２３の第１の溝と経由させるように用いる。
【００１５】
従って、第１の溝２は、ケーブルをそのケーブル軸と直交する方向から押し込み直線状に保持させるように形成されるが、押し込んだケーブルが抜け出ないように入り口部分は狭くなっており、またケーブルに沿って簡単に移動しないようにケーブルの外径よりも若干狭く形成される。要するに第１の溝２は、ケーブルの被覆に若干食い込む程度に形成されるが、若干の弾力性があるので、装着時の位置調整は支障なく行える。
【００１６】
一方、第２の溝３は、ケーブルの折り返し頂部の部分を直交する方向から押し込み保持させるようにほぼＵ字状に形成される。ケーブルは、余長部分の長さ調節が容易なように、溝内で移動できる。
【００１７】
なお、第１の溝２は、図１では、本体１の側面に沿ってケーブルを挿入する構造として示したが、例えば図３に示すように、本体１の側面にほぼ垂直となる方向からケーブルを押し込むようにしても良い。
【００１８】
また、第２の溝３は、図１では、ほぼＵ字状のものとして示したが、例えば図４に示すように、Ｕ字の頂部が欠落した構造とすることもできる。ケーブルの装着が容易となる利点がある。
【００１９】
また、例えば図５に示すように、第１の溝２と第２の溝３を本体１の同一側面側に配置しても良い。
【００２０】
また、以上の説明では、第１の溝２と第２の溝３は、平行になっている場合であるが、例えば図６に示すように、互いに直交する向きに配置しても良い。この場合の第２の溝４は、第１の溝２と同様にケーブルを直線状に保持することになる。図２では、ケーブル２１の折り返し部分がスリムに整理できているが、この図６に示すケーブル束線具を用いた場合は、図２のようにスリムにとはいかないが、束線の目的は達成できる。
【００２１】
また、ケーブルの余長部分が相当に長い場合には、第２の溝をケーブルを幾重にも積層できる深さにすれば、対応できる。
【００２２】
そして、図示省略したが、当該ケーブル束線具に、機器、机、壁等に取り付ける止め具を一体的に形成すれば、束線部分を機器等に沿わせることができ、一層美観を向上させ得る。例えば、図５に示したもので言えば、裏面に磁石等を取り付けるのである。
【００２３】
【発明の効果】
以上説明したように、本発明のケーブル束線具は、第１の溝と第２の溝とを備えるので、２つのケーブル束線具をケーブルの余長部分に適用し、ケーブルを一方の束線具の第１の溝→他方の束線具の第２の溝→一方の束線具の第２の溝→他方の束線具の第１の溝と経由させることで、簡単にかつ整然と束線でき、その結果、束線処理部分は弛みなく束線できるので、外観も優れたものとなる。また、ケーブル数が多い場合は、ケーブル毎に当該束線具の色を変えれば、選別等も楽に行える。なお、第６発明ではケーブルの余長部分が相当長い場合に有効に対応でき、第７発明では束線したケーブルを機器等に沿わせることができる等の効果がある。
【図面の簡単な説明】
【図１】本発明の第１実施例に係るケーブル束線具を示し、（ａ）は第２の溝を主として示す斜視図、（ｂ）は第１の溝を主として示す斜視図である。
【図２】第１実施例のケーブル束線具の適用例の斜視図である。
【図３】本発明の第２実施例に係るケーブル束線具の斜視図である。
【図４】本発明の第３実施例に係るケーブル束線具の斜視図である。
【図５】本発明の第４実施例に係るケーブル束線具の斜視図である。
【図６】本発明の第５実施例に係るケーブル束線具の斜視図である。
【図７】従来のケーブル束線方法の説明図である。
【図８】従来のケーブル束線に用いるタイラップの斜視図である。
【符号の説明】
１  本体
２  第１の溝
３，４  第２の溝
２１  ケーブル
２２，２３  ケーブル束線具
【図１】
0003541301.tif 000002
【図３】
0003541301.tif 000003
【図４】
0003541301.tif 000004
【図２】
0003541301.tif 000005
【図５】
0003541301.tif 000006
【図６】
0003541301.tif 000007
【図７】
0003541301.tif 000008
【図８】
0003541301.tif 000009